(57)【特許請求の範囲】
【請求項１】
互いに交差する縦方向と横方向と厚さ方向と、を有し、
着用者の胴回りに配置される胴回り部を備える使い捨ておむつであって、
前記胴回り部は、前記厚さ方向に重ねて接合された内層シート及び外層シートを有し、
前記胴回り部の腹側の前記横方向の中央部、かつ、前記縦方向の上端部には切り込みが設けられており、
前記胴回り部の腹側において、前記切り込みの外縁に沿った縁部のうち少なくとも一部の領域には、
前記内層シートと、前記外層シートとを接合する接着剤、及び、
前記内層シート又は前記外層シートと、他の部材とを接合する接着剤、
のうち少なくとも一方の接着剤が設けられておらず、
前記外層シートの前記縦方向の上端部であって、前記内層シートの前記縦方向の上端部から上側にはみ出した部分を前記縦方向の下側に折り返して前記内層シートの非肌側に重ねた折り返しシートを有し、
前記折り返しシートの前記縦方向の下端の位置は、前記切り込みの下端の位置よりも低く、
前記縁部のうち、前記切り込みの下端から前記縦方向の下方に所定の幅を有する領域には、
前記折り返しシートと前記内層シートとを接合する接着剤が設けられていない、ことを特徴とする使い捨ておむつ。
【請求項２】
請求項１に記載の使い捨ておむつであって、
前記縁部のうち、前記切り込みの下端から前記縦方向の下方に所定の幅を有する領域には、
前記内層シートと、前記外層シートとを接合する接着剤、及び、
前記内層シート又は前記外層シートと、他の部材とを接合する接着剤、
のうち少なくとも一方の接着剤が設けられていない、
ことを特徴とする使い捨ておむつ。
【請求項３】
請求項１または２に記載の使い捨ておむつであって、
前記縁部のうち、前記切り込みの両横端から前記横方向の外側に所定の幅を有する領域には、
前記内層シートと、前記外層シートとを接合する接着剤、及び、
前記内層シート又は前記外層シートと、他の部材とを接合する接着剤、
のうち少なくとも一方の接着剤が設けられていない、
ことを特徴とする使い捨ておむつ。
【請求項４】
請求項１〜３のいずれかに記載の使い捨ておむつであって、
前記内層シート又は前記外層シートには、前記内層シート及び前記外層シートとは異なる１以上のシート部材が接合されており、
前記縁部のうち、前記切り込みの下端から前記縦方向の下方に所定の幅を有する領域には、
前記内層シート又は前記外層シートと、前記シート部材とを接合する全ての接着剤が設けられていない、ことを特徴とする使い捨ておむつ。
【請求項５】
請求項１〜４のいずれかに記載の使い捨ておむつであって、
前記切り込みの下端から前記縦方向の下方に所定の幅を有し、かつ、前記胴回り部の腹側の前記横方向の全体に亘る領域には、
前記内層シートと、前記外層シートとを接合する接着剤、及び、
前記内層シート又は前記外層シートと、他の部材とを接合する接着剤、
のうち少なくとも一方の接着剤が設けられていない、
ことを特徴とする使い捨ておむつ。
【請求項６】
請求項１〜４のいずれかに記載の使い捨ておむつであって、
前記胴回り部の腹側において、前記縁部のうち前記接着剤が設けられていない部分よりも前記横方向の外側の領域には前記接着剤が設けられている、ことを特徴とする使い捨ておむつ。
【請求項７】
請求項１〜６のいずれかに記載の使い捨ておむつであって、
前記胴回り部の腹側において、前記内層シートと前記外層シートとの間には、前記横方向に伸縮可能な弾性部材が前記横方向に伸長された状態で設けられており、
前記内層シートと前記外層シートとは、前記弾性部材の表面の少なくとも一部に設けられた接着剤を介して互いに接合されており、
前記縁部のうち、前記切り込みの下端から前記縦方向の下方に所定の幅を有する領域には、前記弾性部材が配置されていない、ことを特徴とする使い捨ておむつ。
【請求項８】
請求項７に記載の使い捨ておむつであって、
前記縁部のうち、前記切り込みの両横端から前記横方向の外側に所定の幅を有する領域には、前記弾性部材が配置されていない、ことを特徴とする使い捨ておむつ。
【発明の詳細な説明】
【技術分野】
【０００１】
本発明は、使い捨ておむつに関する。
【背景技術】
【０００２】
従来、新生児や子供を着用対象とした使い捨ておむつが広く用いられている。このような使い捨ておむつは、排泄物を吸収する吸収体を備えた吸収性本体と、吸収性本体の一端側に位置する背側胴回り部と、吸収性本体の他端側に位置する腹側胴回り部と、を備えている。このような使い捨ておむつを新生児に着用させる場合、新生児は、臍（へそ）が湿潤しているため、臍が使い捨ておむつに当たらないようにすることが要請される。例えば、特許文献１には、腹側胴回り部（前身頃）の上端縁の一部を下側に凸形状となるようにカットすることで、着用時において該腹側胴回り部が新生児の臍等に当たりにくいおむつが開示されている。
【先行技術文献】
【特許文献】
【０００３】
【特許文献１】特開２０１２−１９２１１５号
【発明の概要】
【発明が解決しようとする課題】
【０００４】
使い捨ておむつの腹側胴回り部（前身頃）は、不織布等を厚さ方向に複数重ねて接合することによって構成されることが一般的である。また、該腹側胴回り部にはキャラクター等をデザインしたプリントシートや、腹側胴回り部を補強するためのシート部材等が接合される場合がある。このような接合には、ホットメルト接着剤等の接着剤が用いられるが、接着剤が塗布された部分では、接着剤が塗布されていない部分と比較して不織布等のシート部材が固くなり、肌触りが悪化するおそれがある。特に、特許文献１のように新生児向けの使い捨ておむつにおいて腹側胴回り部の一部をカットして切り込みを設けた場合、切り込みの縁部が固いと、おむつ着用時に新生児の臍回りに固い縁部が当たってしまい、肌の弱い新生児に大きな刺激を与えてしまうという問題がある。
【０００５】
本発明は上記のような問題に鑑みてなされたものであって、その目的とするところは、腹側胴回り部の上端部に切り込みを有し、着用時において着用者の肌への刺激を与えにくい使い捨ておむつを提供する、ことにある。
【課題を解決するための手段】
【０００６】
上記目的を達成するための主たる発明は、
互いに交差する縦方向と横方向と厚さ方向と、を有し、
着用者の胴回りに配置される胴回り部を備える使い捨ておむつであって、
前記胴回り部は、前記厚さ方向に重ねて接合された内層シート及び外層シートを有し、
前記胴回り部の腹側の前記横方向の中央部、かつ、前記縦方向の上端部には切り込みが設けられており、
前記胴回り部の腹側において、前記切り込みの外縁に沿った縁部のうち少なくとも一部の領域には、
前記内層シートと、前記外層シートとを接合する接着剤、及び、
前記内層シート又は前記外層シートと、他の部材とを接合する接着剤、
のうち少なくとも一方の接着剤が設けられておらず、
前記外層シートの前記縦方向の上端部であって、前記内層シートの前記縦方向の上端部から上側にはみ出した部分を前記縦方向の下側に折り返して前記内層シートの非肌側に重ねた折り返しシートを有し、
前記折り返しシートの前記縦方向の下端の位置は、前記切り込みの下端の位置よりも低く、
前記縁部のうち、前記切り込みの下端から前記縦方向の下方に所定の幅を有する領域には、
前記折り返しシートと前記内層シートとを接合する接着剤が設けられていない、ことを特徴とする使い捨ておむつである。
【０００７】
本発明の他の特徴については、本明細書及び添付図面の記載により明らかにする。
【発明の効果】
【０００８】
本発明によれば、腹側胴回り部の上端部に切り込みを有し、着用時において着用者の肌への刺激を与えにくい使い捨ておむつを提供することができる。
【図面の簡単な説明】
【０００９】
【図１】第１実施形態に係るパンツ型の使い捨ておむつ１の概略斜視図である。
【図２】おむつ１の展開状態を表す平面図である。
【図３】図２のＹ−Ｙ断面について表す概略断面図である。
【図４】切り込み４５について説明する図である。
【図５】図５Ａ及び図５Ｂは、切り込み４５の形状の変形例について説明する図である。
【図６】図６Ａ〜図６Ｃは、おむつ１の腹側胴回り部４０で接着剤が設けられている領域について説明するための概略平面図、及び、一部の断面図である。
【図７】おむつ１の腹側胴回り部４０が伸縮性を有するシート部材によって形成される場合に、接着剤が設けられる領域について説明する図である。
【図８】糸ゴムに接着剤が設けられる場合の接着領域について説明する図である。
【図９】腹側胴回り部４０に別体シート部材５０が設けられる場合に、別体シート部材５０を接合する接着剤の配置について説明する図である。
【図１０】図１０Ａ及び図１０Ｂは、折り返しシート４２ｆが設けられる場合に、折り返しシート４２ｆを接合する接着剤の配置について説明する図である。
【図１１】カバーシート部材６０が設けられる場合に、カバーシート部材６０を接合する接着剤の配置について説明する図である。
【図１２】吸収性本体１０と腹側胴回り部４０とを接合する接着剤の配置について説明する図である。
【発明を実施するための形態】
【００１０】
本明細書及び添付図面の記載により、少なくとも以下の事項が明らかとなる。
【００１１】
互いに交差する縦方向と横方向と厚さ方向と、を有し、着用者の胴回りに配置される胴回り部を備える使い捨ておむつであって、前記胴回り部は、前記厚さ方向に重ねて接合された内層シート及び外層シートを有し、前記胴回り部の腹側の前記横方向の中央部、かつ、前記縦方向の上端部には切り込みが設けられており、前記胴回り部の腹側において、前記切り込みの外縁に沿った縁部のうち少なくとも一部の領域には、前記内層シートと、前記外層シートとを接合する接着剤、及び、前記内層シート又は前記外層シートと、他の部材とを接合する接着剤、のうち少なくとも一方の接着剤が設けられていない、ことを特徴とする使い捨ておむつ。
【００１２】
このような使い捨ておむつによれば、切り込みの縁部のうち接着剤が設けられていない部分ではシート部材の剛性が高くならず、柔軟性が保たれるため、おむつ着用時において当該部分が着用者の肌と接触した場合であっても、着用者の肌に過度な刺激を与えにくくすることができる。
【００１３】
かかる使い捨ておむつであって、前記縁部のうち、前記切り込みの下端から前記縦方向の下方に所定の幅を有する領域には、前記内層シートと、前記外層シートとを接合する接着剤、及び、前記内層シート又は前記外層シートと、他の部材とを接合する接着剤、のうち少なくとも一方の接着剤が設けられていない、ことが望ましい。
【００１４】
このような使い捨ておむつによれば、着用者の臍に接触する可能性が最も高い領域である切り込み縁部の下方領域に接着剤を設けないようにすることで、当該部分の剛性が高くなることを抑制できる。これにより、おむつ着用時において着用者の臍回りに刺激を与えにくくすることができる。
【００１５】
かかる使い捨ておむつであって、前記縁部のうち、前記切り込みの両横端から前記横方向の外側に所定の幅を有する領域には、前記内層シートと、前記外層シートとを接合する接着剤、及び、前記内層シート又は前記外層シートと、他の部材とを接合する接着剤、のうち少なくとも一方の接着剤が設けられていない、ことが望ましい。
【００１６】
このような使い捨ておむつによれば、切り込み縁部の下方領域に加えて、切り込み縁部の横方向外側の領域にも接着剤を設けないようにすることで、切り込み縁部の全域について剛性が高くなることを抑制できる。これにより、おむつ着用時において着用者の臍回りの肌触りをより良好なものにすることができる。
【００１７】
かかる使い捨ておむつであって、前記内層シート又は前記外層シートには、前記内層シート及び前記外層シートとは異なる１以上のシート部材が接合されており、前記縁部のうち、前記切り込みの下端から前記縦方向の下方に所定の幅を有する領域には、前記内層シート又は前記外層シートと、前記シート部材とを接合する全ての接着剤が設けられていない、ことが望ましい。
【００１８】
このような使い捨ておむつによれば、切り込み縁部の下方領域に、各シート部材（例えばプリントシート等）を接合するためのいずれの接着剤も設けられないようにすることで、当該部分に一部の接着剤が設けられている場合と比較して、切り込み縁部の剛性を低く保つことができる。これにより、着用者の臍回りに与えられる刺激をより弱くすることができる。
【００１９】
かかる使い捨ておむつであって、前記外層シートの前記縦方向の上端部であって、前記内層シートの前記縦方向の上端部から上側にはみ出した部分を前記縦方向の下側に折り返して前記内層シートの非肌側に重ねた折り返しシートを有し、前記折り返しシートの前記縦方向の下端の位置は、前記切り込みの下端の位置よりも低く、前記縁部のうち、前記切り込みの下端から前記縦方向の下方に所定の幅を有する領域には、前記折り返しシートと前記内層シートとを接合する接着剤が設けられていない、ことが望ましい。
【００２０】
このような使い捨ておむつによれば、折り返しシートの下端部を腹側胴回り部の内層シートに接合することで、おむつ１を着脱する際に、折り返しシートの下端部が捲れあがってしまったり、着脱動作の邪魔になったりすることが抑制される。その際、切り込み縁部の下方領域には接着剤が設けられないようにすることで、当該部分の剛性が高くなることを抑制できる。これにより、折り返しシートと腹側胴回り部との接着領域を十分に確保しつつ、着用者の臍回りに与えられる刺激をより弱くすることができる。
【００２１】
かかる使い捨ておむつであって、前記切り込みの下端から前記縦方向の下方に所定の幅を有し、かつ、前記胴回り部の腹側の前記横方向の全体に亘る領域には、前記内層シートと、前記外層シートとを接合する接着剤、及び、前記内層シート又は前記外層シートと、他の部材とを接合する接着剤、のうち少なくとも一方の接着剤が設けられていない、ことが望ましい。
【００２２】
このような使い捨ておむつによれば、着用者の臍に接触する可能性が最も高い領域である切り込み縁部の下方領域において剛性が高くなることを抑制できる。また、切り込み縁部下方領域の横方向全体に亘って接着剤が設けられていないことにより、横方向全体の剛性を低く抑えることが可能となり、おむつ着用時の肌触りが良好になる。
【００２３】
かかる使い捨ておむつであって、前記胴回り部の腹側において、前記縁部のうち前記接着剤が設けられていない部分よりも前記横方向の外側の領域には前記接着剤が設けられている、ことが望ましい。
【００２４】
このような使い捨ておむつによれば、おむつの着用時において着用者の臍回りに刺激を与えにくくしつつ、シート部材同士の接合部分の面積を大きくすることで当該接合部分の強度を高くすることができるため、腹側胴回り部の全体（おむつ１）をより丈夫に形成することが可能となる。
【００２５】
かかる使い捨ておむつであって、前記胴回り部の腹側において、前記内層シートと前記外層シートとの間には、前記横方向に伸縮可能な弾性部材が前記横方向に伸長された状態で設けられており、前記内層シートと前記外層シートとは、前記弾性部材の表面の少なくとも一部に設けられた接着剤を介して互いに接合されており、前記縁部のうち、前記切り込みの下端から前記縦方向の下方に所定の幅を有する領域には、前記弾性部材が配置されていない、ことが望ましい。
【００２６】
このような使い捨ておむつによれば、弾性部材（例えば糸ゴム）に塗布された接着剤が切り込み縁部の下方領域に設けられないため、当該部分の剛性が高くなることを抑制することができる。また、糸ゴムの配置によって接着領域を自在に形成することができるため、腹側胴回り部に作用する弾性力や接合強度に関する設計の自由度が高くなる。また、全体として接着剤の使用量を少なくして、腹側胴回り部の剛性が高くなることを抑制できる。
【００２７】
かかる使い捨ておむつであって、前記縁部のうち、前記切り込みの両横端から前記横方向の外側に所定の幅を有する領域には、前記弾性部材が配置されていない、ことが望ましい。
【００２８】
このような使い捨ておむつによれば、切り込み縁部の下方領域に加えて、切り込み縁部の横方向外側の領域にも接着剤が設けられていないことにより、切り込み縁部の全域について剛性が高くなることが抑制される。これにより、おむつ着用時において着用者の臍回りの肌触りをより良好なものにすることができる。
【００２９】
＝＝＝第１実施形態＝＝＝
図１は、第１実施形態に係るパンツ型の使い捨ておむつ１（以下、単に、おむつ１と呼ぶ）の概略斜視図である。図２は、おむつ１の展開状態を表す平面図である。図３は、図２のＹ−Ｙ断面について表す概略断面図である。なお、図３ではおむつ１の断面構造を説明するために、実際の構造を簡略化して表示している。例えば、腹側胴回り部４０等の各部材の大きさや腹側糸ゴム４３の数量等は、実際のおむつ１とは異なる場合がある。
【００３０】
おむつ１は、主に新生児を着用対象としたパンツ型おむつであり、図１のパンツ型状態において、互いに直交する縦方向と横方向とを有する。また、図２において展開状態の横方向は図１のパンツ型状態での横方向と同義である。一方、展開状態の縦方向はパンツ型状態の縦方向に沿った方向であるが、両者は若干意味が異なる。そのため、以下の説明では、必要に応じて図２における縦方向を「展開状態での縦方向」等と呼んでパンツ型状態での縦方向と区別する場合がある。また、図３に示されるように、厚さ方向に関して着用対象者に接触する側のことを「肌側」と言い、その逆側のことを「非肌側」と言う。
【００３１】
本実施の形態に係るおむつ１は、所謂３ピースタイプであり、３つの部品を有している。すなわち、このおむつ１は、第１部品として、着用者の股間部にあてがわれ尿等の排泄物を吸収する吸収性本体１０を有し、第２部品として、同着用者の背側部を覆う背側胴回り部３０を有し、第３部品として、同着用者の腹側部を覆う腹側胴回り部４０を有している。
【００３２】
図２の展開状態では、背側胴回り部３０と腹側胴回り部４０とが互いに縦方向（展開状態での縦方向）に間隔をあけて平行に並んだ状態で、これらの間に吸収性本体１０が掛け渡されている。そして、吸収性本体１０の一端部１０ａに背側胴回り部３０が、他端部１０ｂに腹側胴回り部４０が固定されており、その外観形状は平面視略Ｈ形状をなしている。換言すれば、吸収性本体１０の一端側に背側胴回り部３０が位置し、吸収性本体１０の他端側に腹側胴回り部４０が位置している。なお、図２の展開状態は、背側胴回り部３０等の各部材に対して後述する各種弾性部材による収縮力が発現していない場合において平坦に延びたときのおむつ１の形状について表している。
【００３３】
そして、この状態から、吸収性本体１０が、その長手方向（つまり、縦方向）におけるおむつ１の中央（展開状態のおむつ１の縦方向における一端と他端の真ん中）の位置を折り位置として二つ折りされる。この二つ折りの状態において互いに対向する背側胴回り部３０と腹側胴回り部４０とが、横方向の縁部にて接合・連結されると、これら胴回り部同士が環状に成形される。つまり、おむつ１は、背側胴回り部３０の横方向における背側両縁部３０ａと腹側胴回り部４０の横方向における腹側両縁部４０ａが連結（接合）されて形成されている。これにより、図１に示すような胴回り開口１ａ及び一対の脚回り開口１ｂが形成された着用状態のおむつ１となる。なお、本実施の形態においては、縦方向における腹側胴回り部４０の上端４０ｂの位置と縦方向における背側胴回り部３０の上端３０ｂの位置とを一致させた状態で、背側両縁部３０ａと腹側両縁部４０ａとが連結されている。換言すれば、背側両縁部３０ａの上端と腹側両縁部４０ａの上端とが揃うように互いに連結されている。
【００３４】
以下、３つの部品について、吸収性本体１０、腹側胴回り部４０、背側胴回り部３０の順に説明する。
【００３５】
吸収性本体１０は、着用者の股間（股下）に対応し、尿等の排泄物を吸収するためのものである。図２に示すように、吸収性本体１０は平面視長方形状を有しており、長手方向（長辺方向）が展開状態での縦方向に沿うように設けられている。そして、図３に示すように吸収性本体１０は、吸収体１１と、同吸収体１１を肌側から覆うトップシート部材１３と、同吸収体１１を非肌側から覆って吸収性本体１０の外装をなすバックシート部材１５と、を備えている。
【００３６】
吸収体１１は、液体吸収性素材を積層してなる部材（吸収性コア）であり、尿等の排泄物を吸収することができる。吸収体１１は、パルプ（パルプ繊維）と吸収性ポリマー（ＳＡＰ）とを有している。なお、本実施の形態に係る吸収体１１は、平面視略砂時計形状を有している。すなわち、展開状態の吸収体１１は、当該吸収体１１の縦方向における中央部分に、横方向の内側へ窪んだ窪み部１２を備え、当該窪み部１２において、吸収体１１の幅が最も狭くなっている。なお、窪み部１２の縦方向位置は、図２では中央よりも腹側胴回り部４０側であるが、おむつ１のサイズによっては背側胴回り部３０側となる場合もある。一方で、吸収体１１の縦方向における端部（吸収体１１の背側上端１１ａや腹側上端１１ｂ）には、窪み部１２が設けられておらず、当該端部（吸収体１１の背側上端１１ａや腹側上端１１ｂ）においては、吸収体１１の幅が最も広くなっている。本実施の形態において、吸収体１１の最大幅Ｗ１１は約１２０ｍｍである。また、吸収体１１は、ティッシュペーパーや不織布等の液透過性シートからなるコアラップ（不図示）で被覆されていても良い。
【００３７】
トップシート部材１３は、例えば吸収体１１よりも大きい平面サイズの液透過性の不織布等からなるシート部材である。バックシート部材１５は、例えば吸収体１１よりも大きい平面サイズのシート部材であり、その一例としては、ポリエチレン又はポリプロピレン等の液不透過性の防漏シート１５ａと、不織布等の外層シート１５ｂとが貼り合わされた二層構造のシートが挙げられる。そして、これらバックシート部材１５とトップシート部材１３との間に吸収体１１を挟んだ状態において、吸収体１１の四辺から外側にはみ出す部分にて、バックシート部材１５とトップシート部材１３とが額縁状に貼り合わされ、これにより、吸収性本体１０が形成されている。なお、バックシート部材１５が外層シート１５ｂを有さず、防漏シート１５ａのみによって構成されていても良い。
【００３８】
また、吸収性本体１０の横方向における両側部に位置する部位、つまり、一対のサイドフラップ２６には、縦方向に沿って伸縮するレッグギャザーＬＧ（脚回り伸縮部）がそれぞれ設けられている。レッグギャザーＬＧは、不織布により形成され、縦方向に沿って伸縮する弾性部材（具体的には、糸ゴム。便宜上、ＬＧ糸ゴム２６ａと呼ぶ）を備えている。そして、当該ＬＧ糸ゴム２６ａがサイドフラップ２６に伸縮性を付与することによって、レッグギャザーＬＧが構成される。
【００３９】
また、吸収性本体１０の横方向において、レッグギャザーＬＧ（サイドフラップ２６）よりも内側には、一対のレッグサイドギャザーＬＳＧ（立体ギャザー）が設けられている。レッグサイドギャザーＬＳＧは、吸収性本体１０の肌側に備えられ、脚繰りの隙間からの液漏れを防止する役割を果たす。レッグサイドギャザーＬＳＧは、不織布により形成されている。レッグサイドギャザーＬＳＧは、吸収性本体１０の横方向におけるレッグサイドギャザーＬＳＧの内側端部に頂点２８を備え、頂点２８及び頂点２８よりも外側の不織布が立ち上がるようになっている。また、レッグサイドギャザーＬＳＧの頂点２８には、縦方向に沿って伸縮する弾性部材（具体的には、糸ゴム。便宜上、ＬＳＧ糸ゴム２９と呼ぶ）が設けられている。
【００４０】
腹側胴回り部４０は、着用者の腹部に対応するシート状部材を有する。この腹側胴回り部４０は、不織布等からなる平面視長方形状のシートであり、長手方向（長辺方向）が横方向に沿うように設けられている。腹側胴回り部４０は、図３に示されるように、厚さ方向の肌側から内層シート４１及び外層シート４２を二枚重ねにした状態で、ホットメルト接着剤等の接着剤を用いて互いに接合することにより形成されている。なお、内装シート４１及び外装シート４２が一枚の部材（同一の部材）であり、一枚の部材を折り畳んで重ねることによって腹側胴回り部４０が形成されるのであっても良い。そして、腹側胴回り部４０は、吸収性本体１０の他端部１０ｂに重ねられ、同接着剤を用いて接合固定されている。腹側胴回り部４０の吸収性本体１０に重ねられた部分は、横方向における腹側胴回り部４０の中央部に設けられている。
【００４１】
腹側胴回り部４０の横方向における中央部であって、縦方向における上端４０ｂには、切り込み４５が設けられている。この切り込み４５は、着用者の臍（へそ）や臍に取り付けられたクリップ等がおむつ１に当たらないようにするためのものである。
【００４２】
図４は、切り込み４５について説明する図である。本実施形態に係る切り込み４５は、おむつ１をパンツ型とした状態において、図４に示されるように深さＤ１、幅Ｗ１を有する矩形状である。切り込み４５の縦方向の深さＤ１は、腹側胴回り部４０の縦方向の上端４０ｂと切り込み４５の縦方向の下端４５аとの間の距離で表される。すなわち、深さＤ１は、切り込み４５の縦方向の最大長さである。本実施形態において、深さＤ１は、例えば１５ｍｍ程度である。切り込み４５の横方向の幅Ｗ１は、腹側胴回り部４０の縦方向の上端４０ｂと切り込み４５とが交差する点である２つの側端４５ｂの間の距離で表される。すなわち、幅Ｗ１は、切り込み４５の横方向の最大長さである。本実施形態において、幅Ｗ１は、例えば８５ｍｍ程度である。
【００４３】
なお、実際の製品においては、後述する腹側糸ゴム４３等の弾性部材の作用により腹側胴回り部４０が横方向に収縮するため、製品を自然状態で平置きにして見たときの切り込み４５の幅Ｗ１は２０〜４０ｍｍ程度となる。但し、弾性部材の収縮度合いに応じてこれよりも広くなる場合や狭くなる場合もある。上述した深さＤ１や幅Ｗ１の長さは、腹側糸ゴム４３等の各種弾性部材による収縮力が発現していない場合において腹側胴回り部４０を平坦に延ばしたときの状態で測定される長さである。
【００４４】
腹側胴回り部４０は、切り込み４５の外縁に沿った縁部４６を有する。図４の斜線部で表示されるように、縁部４６は、切り込み４５の外縁からの距離Ｄ２の範囲に設けられている。すなわち、縁部４６は、腹側胴回り部４０において切り込み４５の外縁に沿って所定の幅Ｄ２を有する領域である。本実施形態において、縁部４６の幅Ｄ２は２ｍｍ以上Ｄ１（１５ｍｍ）以下の長さを有する。以下では、幅Ｄ２は２ｍｍであるとする。
【００４５】
また、切り込み４５の形状は必ずしも図４のような矩形状である必要は無く、形状に制限は無い。図５Ａ及び図５Ｂは、切り込み４５の形状の変形例について説明する図である。図５Ａの例では、切り込み４５が、縦方向の下方へ湾曲した円弧状に形成されている。この場合、縁部４６は、図５Ａの斜線部で示されるように切り込み４５の外縁に沿った幅Ｄ２の円弧状に形成される。図５Ｂの例では、切り込み４５が、縦方向に所定の長さを有する直線状のスリットとして形成されている。この場合、縁部４６は、図５Ｂの斜線部で示されるように切り込み４５の外縁を取り囲むような。幅Ｄ２の矩形状に形成される。なお、切り込み４５の形状が図５Ｂに示されるようなスリットである場合、おむつ１の着用時において腹側胴回り部４０が横方向に伸長されるのに応じて該切り込み４５（スリット）も横方向両側に引っ張られ、縦方向の上方側が横方向に開くことによりスリットがＶ字型に変形する。これにより、おむつ１の着用時に着用者の臍等が腹側胴回り部４０に当たらないようにすることができる。
【００４６】
図２に戻って、腹側胴回り部４０には、横方向に沿って伸縮する弾性部材が、縦方向に複数並んで配置されている。この弾性部材は、例えば、糸ゴムや伸縮性ウレタン等であり、以下では便宜上、腹側糸ゴム４３と呼ぶ。腹側糸ゴム４３は、横方向に伸長された状態で腹側胴回り部４０に接着剤により接合固定されている。そして、このことにより、腹側胴回り部４０には、横方向の伸縮性が付与され、おむつ１の胴回り開口１ａに伸縮性を与えている。
【００４７】
また、腹側胴回り部４０を構成する内層シート４１及び外層シート４２が横方向に伸縮可能なシート部材（例えば伸縮性不織布）によって構成されていても良い。この場合、腹側糸ゴム４３を設けなくても伸縮性不織布自体の弾性力（収縮力）によって腹側胴回り部４０に横方向の伸縮性を発現させることができる。
【００４８】
背側胴回り部３０は、着用者の背部に対応するシート状部材を有する。この背側胴回り部３０は、不織布等からなる平面視長方形状のシートであり、長手方向（長辺方向）が横方向に沿うように設けられている。背側胴回り部３０は、図３に示されるように、厚さ方向の肌側から内層シート３１及び外層シート３２を二枚重ねにした状態で、ホットメルト接着剤等の接着剤を用いて互いに接合することにより形成されている。なお、内装シート３１及び外装シート３２が一枚の部材（同一の部材）であり、一枚の部材を折り畳んで重ねることによって背側胴回り部３０が形成されるのであっても良い。そして、背側胴回り部３０は、吸収性本体１０の一端部１０ａに重ねられ、接合固定されている。背側胴回り部３０の吸収性本体１０に重ねられた部分は、横方向における背側胴回り部３０の中央部に設けられている。
【００４９】
背側胴回り部３０には、腹側胴回り部４０とは異なり、切り込みが設けられていない。上述したように、切り込み４５は、着用者の臍等がおむつ１に当たらないようにすることを目的として設けられているため、背側には切り込み４５に相当する切り込みを設ける必要が無いからである。
【００５０】
背側胴回り部３０には、腹側胴回り部４０と略同様に、横方向に沿って伸縮する弾性部材（便宜上、背側糸ゴム３３と呼ぶ）が、縦方向に複数並んで配置されている（図２参照）。背側糸ゴム３３は、横方向に伸長された状態で背側胴回り部３０に接着剤により接合固定されている。そして、このことにより、背側胴回り部３０には、横方向の伸縮性が付与され、おむつ１の胴回り開口１ａに伸縮性を与えている。また、腹側胴回り部４０と同様に、背側胴回り部３０を構成する内層シート３１及び外層シート３２が横方向に伸縮可能な伸縮性不織布等によって構成されていても良い。
【００５１】
＜切り込み４５の周囲における接着剤の配置について＞
上述したように、腹側胴回り部４０を構成する内層シート４１及び外層シート４２（及び腹側糸ゴム４３）は接着剤によって互いに接合されている。一般に、シート部材に接着剤が設けられた場合、当該接着剤が設けられた部分は、接着剤が設けられていない部分と比較してシート部材の剛性が高くなり、硬くなる。したがっておむつ１において、切り込み４５の外縁を含む縁部４６（すなわち、切り込み４５のエッジに相当する部分）に接着剤が設けられていると、当該縁部４６の剛性が高くなり、着用者の臍回りの肌触りが悪化するおそれがある。特に、新生児は肌が弱いため、おむつ１の着用時において縁部４６の剛性が臍回りに過度な刺激を与え、不快感を大きくする要因となり得る。このような場合、着用者の臍等にシート部材が当たりにくくするために形成された切り込み４５が、かえって肌触りを悪化させてしまうことになる。
【００５２】
そこで、本実施形態のおむつ１では、腹側胴回り部４０に形成された切り込み４５の縁部４６について、少なくとも一部の領域に接着剤が設けられないようにすることで、着用時において着用者の肌へ縁部４６が過度な刺激を与えることを抑制している。以下、おむつ１における接着剤の配置について説明する。
【００５３】
図６Ａ〜図６Ｃは、おむつ１の腹側胴回り部４０で接着剤が設けられている領域について説明するための概略平面図、及び、一部の断面図である。同図６Ａ〜図６Ｃでは、切り込み４５の縁部４６が形成されている領域を斜線部で表示し、接着剤が設けられた領域（以下、接着領域ＨＭＡとも呼ぶ）を網掛けで表示している。なお、図６Ａ〜図６Ｃはいずれも腹側胴回り部４０を横方向に伸長させた状態について説明するものである。
【００５４】
図６Ａに示されるように、腹側胴回り部４０では横方向に沿った所定の領域に帯状の接着領域ＨＭＡが形成されている。そして、縁部４６のうち下方の領域には接着領域ＨＭＡが形成されていない。すなわち、図６Ａにおいて、切り込み４５の外縁の下端から下方側へ幅Ｄ２の領域には横方向の全体に亘って接着剤が設けられていない。この縁部４６下方領域は、おむつ１の着用時において、着用者の臍に接触する可能性が最も高い領域であり、また、新生児がおむつ１を着用した状態で前傾姿勢を取った場合などには、臍回りの肌に食い込む可能性のある領域である。したがって、切り込み４５の下端から所定の幅（幅Ｄ２）を有する範囲に接着剤を設けないことにより、当該部分の剛性が他の部分（網掛けで表示された接着領域ＨＭＡの部分）よりも低くなり、着用者の臍回りに刺激を与えにくくすることができる。
【００５５】
上述したように、縁部４６の幅Ｄ２は約２ｍｍ程度とすることが望ましい。つまり、本実施形態のおむつ１では、切り込み４５の下端４５ａから少なくとも２ｍｍの距離を空けて接着材が塗工されている。但し、おむつ１のサイズや種類に応じて縁部４６の幅Ｄ２を２ｍｍ以下としても良い。
【００５６】
一方、図６Ａにおいて、縁部４６のうち横方向両側の一部の領域と接着領域ＨＭＡとは重複している。すなわち、切り込み４５の横方向の両側には接着剤が設けられている領域がある。当該領域は、横方向の中央から少なくとも切り込み４５の幅Ｗ１の１/２以上離れており（図４参照）、おむつ１の着用時において直接臍に当たる可能性が低い。そのため、この領域の剛性が高くなっていたとしても、縁部４６の下端４５ａの領域の剛性が高くなる場合と比較して着用者の臍部に過度な刺激を与える可能性は低い。そのため、縁部４６の横方向の両側には接着材を設けることが可能である。
【００５７】
接着領域ＨＭＡを形成する接着剤の塗工方法は、内層シート４１及び外層シート４２の少なくとも一方の所定の領域にスパイラル塗工、Ω塗工、コントロールシーム塗工等の公知の接着剤塗工方法を用いて行われる。図６Ａの網掛けで表示された接着領域ＨＭＡの全範囲に均一に接着剤が設けられているものには限られない。また、接着剤を塗工して内層シート４１及び外層シート４２を互いに接合する際には、腹側糸ゴム４３が横方向に伸長された状態で内層シート４１及び外層シート４２の間に挟み込まれて接合される（図６ＡのＡ−Ａ断面図等参照）。この腹側糸ゴム４３の収縮力により、腹側胴回り部４０に横方向の伸縮性が付与される。なお、腹側糸ゴム４３の配置は、図６Ａに示される限りではない。例えば、接着領域ＨＭＡ中で腹側糸ゴム４３が全く配置されていない部分があっても良いし、接着領域ＨＭＡ以外の部分に腹側糸ゴム４３が配置されていても良い。また、図６では腹側糸ゴム４３と外層シート４２との間に接着領域ＨＭＡが設けられているが、腹側糸ゴム４３と内層シート４１との間に接着領域ＨＭＡが設けられていても良い。
【００５８】
図６Ｂは、図６Ａの場合よりも接着領域ＨＭＡを広く取った場合について表している。同図６Ｂでは、腹側胴回り部４０において、縁部４６の下方領域のうち、横方向中央の所定の幅の領域に接着剤が設けられておらず、それ以外の領域には接着剤が設けられている。すなわち、切り込み４５の外縁の下端（図６Ｂにおいて切り込み４５の底辺に相当）から下方側へ幅Ｄ２の領域に接着剤が設けられていない。これにより、おむつ１の着用時において着用者（新生児）の臍回りに刺激を与えにくくしつつ、内層シート４１及び外層シート４２の接合部分の面積を大きくすることで、腹側胴回り部４０の全体の接合強度を高くしておむつ１をより丈夫に形成することができる。
【００５９】
図６Ｃは、切り込み４５の縁部４６全体と接着領域ＨＭＡとが重複しないように接着剤が設けられた場合について表している。図６Ｂと比較して縁部４６の横方向両側領域（切り込み４５の外縁の両横端よりも横方向外側の幅Ｄ２の領域）にも接着剤が設けられないため、縁部４６の全体について剛性が高くなることが抑制される。すなわち、切り込み４５の外縁（エッジ）部分の全体が柔らかく形成されるため、着用者の腹側における肌触りをより良好なものとすることができる。また、接着剤が設けられていない領域よりも横方向の外側（すなわち縁部４６の横方向外側の領域）には接着剤が設けられているので、腹側胴回り部４０全体としての接合強度も十分に確保される。
【００６０】
なお、図６Ａ〜図６Ｃでは、いずれも縁部４６のうち下方の領域（切り込み４５の下端から下方側へ幅Ｄ２の領域）に接着剤が設けられていない場合の例について示されているが、縁部４６のうち少なくとも一部に接着剤が設けられていなければ、その部分において剛性が高くなることが抑制されるため、着用者の肌触りを向上させる効果がある。
【００６１】
また、内層シート４１及び外層シート４２が横方向に伸縮可能な伸縮性不織布等によって形成されている場合も同様である。図７は、おむつ１の腹側胴回り部４０が伸縮性を有するシート部材によって形成される場合に、接着剤が設けられる領域について説明する図である。なお、図７では、図６Ｃに対応させて、縁部４６の全体と接着領域ＨＭＡとが重複しない場合の例について示している。同図７では、伸縮性不織布が使用されているため腹側糸ゴム４３は設けられておらず、内層シート４１及び外層シート４２が接着領域ＨＭＡを介して互いに直接接合されている。この場合も、接着領域ＨＭＡが形成される領域は、図６Ａ〜図６Ｃで説明したのと同様である。すなわち、少なくとも切り込み４５の縁部４６のうちの一部、例えば、縁部４６の下方領域（切り込み４５の下端から下方側へ幅Ｄ２の領域）には接着剤が設けられていない。これにより、縁部４６の剛性が高くなることが抑制され、着用者の臍回りにおける肌触りを良くすることができる。
【００６２】
また、接着領域ＨＭＡを形成する接着剤が内層シート４１若しくは外層シート４２側に設けられるのではなく、腹側糸ゴム４３側に設けられるのであっても良い。図８は、糸ゴムに接着剤が設けられる場合の接着領域について説明する図である。図８のＡ−Ａ断面及びＢ−Ｂ断面に示されるように、内層シート４１及び外層シート４２は、腹側糸ゴム４３の表面に塗布された接着剤を介して互いに接合されている。つまり、腹側糸ゴム４３が配置されている領域が接着領域ＨＭＡとなる。
【００６３】
図８では、横方向に沿った腹側糸ゴム４３が縦方向に間欠的に複数並んで配置されることによって略縞模様状の接着領域ＨＭＡが形成されている。そして、複数の腹側糸ゴム４３は、切り込み４５の縁部４６と重複しないようにそれぞれ配置されている。具体的には、縦方向において、縁部４６の下端よりもさらに下側の領域に腹側糸ゴム４３が配置されている。つまり、縁部４６の下方領域（切り込み４５の下端から下方側へ幅Ｄ２の領域）には腹側糸ゴム４３及び接着剤が設けられていない。これにより、縁部４６の下方領域の剛性が高くなることを抑制し、おむつ１の着用時において、着用者の臍回りに刺激を与えにくくすることができる。また、腹側糸ゴム４３の配置を調整することによって接着領域ＨＭＡを自在に形成することができるため、腹側胴回り部４０に作用する弾性力や接合強度に関する設計の自由度が高くなる。さらに、全体として接着剤の使用量を少なくして、腹側胴回り部４０全体として接着剤によって剛性が高くなってしまうことを抑制できる。
【００６４】
一方、横方向においては、縁部４６の両端よりもさらに外側に腹側糸ゴム４３が設けられている。言い換えると、腹側胴回り部４０の縦方向の上端４０ｂから高さＤ１の範囲において横方向に沿って配置されている腹側糸ゴム４３のうち縁部４６に近い方の横方向端部が、縁部４６よりも横方向の外側になるように配置されている。つまり、縁部４６のうち横方向両側の領域（切り込み４５の外縁の両横端から横方向外側の幅Ｄ２の領域には腹側糸ゴム４３及び接着剤が設けられていない。これにより、縁部４６全域について剛性が高くなることが抑制され、おむつ１着用時の肌触りをより良好にすることができる。
【００６５】
腹側糸ゴム４３への接着剤の塗工は、スリット塗工やスパイラル塗工等の公知の接着剤塗工方法を用いて行われる。また、図８の例では腹側糸ゴム４３の全体に接着剤が設けられているが、腹側糸ゴム４３の長手方向に沿って間欠的に接着剤が設けられるようにしても良い。
【００６６】
＜腹側胴回り部４０に他の部材が接合される場合について＞
おむつ１では、腹側胴回り部４０に他の部材が接合される場合がある。すなわち、内層シート４１,外層シート４２, 腹側糸ゴム４３以外の「他の部材」が接着剤によって接合される場合がある。以下では、そのような「他の部材」が接合される場合における接着剤の配置について説明する。
【００６７】
図９は、腹側胴回り部４０に別体シート部材５０が設けられる場合に、別体シート部材５０を接合する接着剤の配置について説明する図である。本実施形態において別体シート部材５０は、フィルムや不織布等により構成され、その表面に所定の色や画像が付されたプリントシートである。このような別体シート部材５０を設けることで、おむつ１のデザイン性を向上させることができる。図９では、別体シート部材５０が内層シート４１と外層シート４２との間に挟まれて設けられているが、別体シート部材５０が外層シート４２よりも非肌側（つまり腹側胴回り部４０の最外装）に設けられても良いし、内層シート４１よりも肌側に設けられていても良い。すなわち、別体シート部材５０は、腹側胴回り部４０において、吸収性本体１０よりも非肌側に設けられるシートである。なお、以下の図９〜図１２では腹側糸ゴム４３を省略して表示しているが、腹側糸ゴム４３が設けられていても良い。
【００６８】
図９に示されるように、縁部４６の下方領域（切り込み４５の下端から下方側へ幅Ｄ２の領域）には別体シート部材５０を接合するための接着剤が設けられていない。これにより、当該領域の剛性が他の領域よりも低くなり、着用者の臍回りに刺激を与えにくくすることができる。なお、図９では、別体シート部材５０の非肌側表面に接着剤が設けられることで接着領域ＨＭＡが形成されている。当該接着領域によって別体シート部材５０が外層シート４２に接合される。この場合、別体シート部材５０の肌側は、内層シート４１と外層シート４２とを接合する接着剤によって内層シート４１と接合される。但し、背側及び腹側における接着剤の配置はこの逆でも良い。また、図９では、接着領域ＨＭＡと切り込み４５の縁部４６とが重複していない図６Ｃに対応したパターンで接着剤が設けられているが、図６〜図８で説明したいずれのパターンについても同様に適用可能である。なお、図９では腹側胴回り部４０と別体シート部材５０とを接合する接着剤によって形成される接着領域ＨＭＡのみについて説明されている。他の接着剤（例えば内層シート４１と外層シート４２とを接合する接着剤）の配置については図６等で説明した通りである。
【００６９】
図１０Ａ及び図１０Ｂは、折り返しシート４２ｆが設けられる場合に、折り返しシート４２ｆを接合する接着剤の配置について説明する図である。折り返しシート４２ｆは、厳密には外層シート４２の一部であるが、ここでは他の部材として説明を行う。折り返しシート４２ｆを設ける場合は、まず、外層シート４２の縦方向の長さを内層シート４１よりも長くして、厚さ方向に重ねた状態で外層シート４２の縦方向上側端部が内層シート４１の縦方向上側端部からはみ出すように構成する。そして、外層シート４２のはみ出し部分が、図１０Ａに示されるように縦方向の下側（厚さ方向の肌側）に折り返されることで、折り返しシート４２ｆが形成され、内層シート４１に重ね合わせられて接合される。内層シート４１の上端のエッジ部が折り返しシート４２ｆによって覆われるため（図１０ＡのＢ−Ｂ断面参照）、おむつ１の着用時において、内層シート４１のエッジ部が着用者の肌と接触することが抑制され、肌触りがソフトになる。
【００７０】
折り返しシート４２ｆと内層シート４１との接合は、図１０Ａのように、折り返しシート４２ｆの縦方向の下端部分に設けられた接着剤によって行われる。この折り返しシート４２ｆを接合する接着剤（接着領域ＨＭＡ）は、縁部４６の下方領域（切り込み４５の下端から下方側へ幅Ｄ２の領域）には設けられていない。これにより、縁部４６の下方領域の剛性が高くならず、着用者の臍回りに刺激を与えにくくすることができる。なお、縁部４６のうち横方向両側の領域の一部及びその外側の領域には接着剤が設けられていても良い。この理由は、上述の図６Ａで説明したのと同様である。また、図１０Ａでは、上述の図６Ａに対応したパターンで接着剤が設けられているが、図６〜図８で説明したいずれのパターンについても同様に適用可能である。
【００７１】
また、折り返しシート４２ｆが設けられる場合、図１０Ｂに示されるように、内層シート４１の上端の位置が切り込み４５の下端４５ａよりも低くなるようにしても良い。この場合、腹側胴回り部４０の上方領域（腹側胴回り部４０の縦方向の上端４０ｂから高さＤ１の範囲）において、厚さ方向に重ねられるシート部材の数が少なくなるため、当該上方領域が柔らかくなり、おむつ１着用時おける肌触りがより良好になる。
【００７２】
本実施形態では、折り返しシート４２ｆの上端から下端までの縦方向の長さＬ４２ｆが、切り込み４５の上端から縁部４６の下端までの縦方向の長さ（Ｄ１＋Ｄ２）よりも長くなるように形成されている。そして、縁部４６の下端よりも下側の位置に接着領域ＨＭＡが形成される。仮に、Ｌ４２ｆがＤ１＋Ｄ２よりも短いとすると、縁部４６の下方領域において、折り返しシート４２ｆの下端部を接着剤によって接合することができなくなる。すなわち、折り返しシート４２ｆの下端部に非接合部ができる。この場合、おむつ１を着脱する際に、該非接合部が捲れあがってしまったり、着脱動作の邪魔になったりすることがあり、問題となる。これに対して、Ｌ４２ｆを長くすることにより、縁部４６の下端部と接着領域ＨＭＡとが重複しないようにしつつ折り返しシート４２ｆの下端部の全体を内層シート４１と接合することが可能となる。
【００７３】
また、折り返しシート４２ｆが設けられる場合には、さらにカバーシート部材６０が設けられていても良い。カバーシート部材６０は、折り返しシート４２ｆの下端部分を厚さ方向に覆うことで、折り返しシート４２ｆの下端エッジが着用者の肌と直接接触しないようにするための部材である。図１１は、カバーシート部材６０が設けられる場合に、カバーシート部材６０を接合する接着剤の配置について説明する図である。カバーシート部材６０を接合する接着剤（接着領域ＨＭＡ）も、上述の各実施例と同様に、縁部４６の下方領域（切り込み４５の下端から下方側へ幅Ｄ２の領域）には設けられていない。これにより、縁部４６の下方領域の剛性が高くならず、着用者の臍回りに刺激を与えにくくすることができる。
【００７４】
なお、折り返しシート４２ｆが設けられていない場合に、カバーシート部材６０が設けられていても良い。この場合、カバーシート部材６０は吸収性本体１０の上端部分を厚さ方向に覆うことで、吸収性本体１０の上端エッジが着用者の肌と直接接触しないようにする。
【００７５】
また、腹側胴回り部４０と接合される他の部材には、吸収性本体１０も含まれる。図１２は、吸収性本体１０と腹側胴回り部４０とを接合する接着剤の配置について説明する図である。同図１２に示されるように、吸収性本体１０の縦方向腹側の端部には、腹側胴回り部４０と重ね合わせた状態で切り込み４５と同形状の切り込みが形成されている。したがって、吸収性本体１０の一部は、腹側胴回り部４０の切り込み４５の縁部４６と厚さ方向に重複している。本実施形態では、図１２に示されるように、吸収性本体１０と腹側胴回り部４０（内層シート４１）とを接合する接着剤（接着領域ＨＭＡ）が、縁部４６の下方領域（切り込み４５の下端から下方側へ幅Ｄ２の領域）には設けられていないため、当該領域の剛性が高くならず、着用者の臍回りに刺激を与えにくくすることができる。これにより、本実施形態のおむつ１の主な着用対象者として想定される新生児の臍回りに過度な刺激を与えないという課題を解決することができる。また、図１２では、上述の図６Ａに対応したパターンで接着剤が設けられているが、図６〜図８で説明したいずれのパターンについても同様に適用可能である。なお、図１２では吸収性本体１０と腹側胴回り部４０とを接合する接着剤によって形成される接着領域ＨＭＡのみについて説明されている。他の接着剤（例えば腹側胴回り部４０の内層シート４１と外層シート４２とを接合する接着剤）の配置については図６等で説明した通りである。
【００７６】
内層シート４１または外層シート４２に対して２以上の「他の部材」が接合される場合には、複数の「他の部材」のそれぞれについて接着領域ＨＭＡが形成される。例えば、おむつ１の製造過程において、別体シート部材５０と外層シート４２とを接合する接着剤、及び、吸収性本体１０と内層シート４１とを接合する接着剤はそれぞれ別々に塗工される。切り込み４５の縁部４６の剛性が高くなることを抑制するためには、これらの接着剤のいずれもが縁部４６に設けられていないことが望ましい。縁部４６に全く接着剤が設けられていなければ、その分、縁部４６を柔らかく保つことが可能となり、着用者の臍回りに過度な刺激を与えることが抑制されるからである。但し、これらの接着剤のうちいずれかの接着剤が縁部４６に設けられないようにするだけでも、着用者の臍回りに与えられる刺激を弱くするという効果を得ることができる。
【００７７】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱すること無く、変更や改良され得るとともに、本発明にはその等価物が含まれるのは言うまでも無い。例えば、以下に示すような変形が可能である。
【００７８】
上述の実施形態では、使い捨ておむつの一例として３つの部品１０，３０，４０によって構成される所謂３ピースタイプのおむつ１について説明されていたが、使い捨ておむつの種類はこの限りではない。例えば、腹側胴回り部４０及び背側胴回り部３０が一体的に構成された一体型の外装部材と、吸収性本体１０との２つの部品からなるパンツ型の使い捨ておむつ等にも適用可能である。この場合も、一体型外装部材のうち腹側の胴回り部の横方向中央部かつ縦方向上端部に切り込みが設けられる。そして、一体型外装部材（腹側胴回り部）を構成する内層シート、外層シート、及び、その他の部材（例えばプリントシート等）を接合する接着剤が切り込みの縁部の少なくとも一部に設けられないようにすることで、該切り込み周囲の剛性が高くなることを抑制することができる。これにより、着用者の肌へ過度な刺激が与えられることが抑制される。
【符号の説明】
【００７９】
１  おむつ、１ａ  胴回り開口、１ｂ  脚回り開口、
１０  吸収性本体、１０ａ  一端部、１０ｂ  他端部、
１１  吸収体、１１ａ  背側上端、１１ｂ  腹側上端、
１２  窪み部、
１３  トップシート部材、
１５  バックシート部材、１５ａ  防漏シート、１５ｂ  外層シート、
２６  サイドフラップ、２６ａ  ＬＧ糸ゴム、
２８  頂点、２９  ＬＳＧ糸ゴム、
３０  背側胴回り部、３０ａ  背側両縁部、３０ｂ  上端、
３１  内層シート、３２  外層シート、
３３  背側糸ゴム、
４０  腹側胴回り部、４０ａ  腹側両縁部、４０ｂ  上端、
４１  内層シート、４２  外層シート、４２ｆ  折り返しシート、
４５  切り込み、４５ａ  下端、４５ｂ  側端、
４３  腹側糸ゴム、
４６  縁部、
５０  別体シート部材、
６０  カバーシート部材、
ＨＭＡ  接着領域、
ＬＧ  レッグギャザー、
ＬＳＧ  レッグサイドギャザー
【図１】
0006427482.tif 000002
【図２】
0006427482.tif 000003
【図３】
0006427482.tif 000004
【図４】
0006427482.tif 000005
【図５】
0006427482.tif 000006
【図６】
0006427482.tif 000007
【図７】
0006427482.tif 000008
【図８】
0006427482.tif 000009
【図９】
0006427482.tif 000010
【図１０】
0006427482.tif 000011
【図１１】
0006427482.tif 000012
【図１２】
0006427482.tif 000013